(57)【要約】  【課題】  ブロードバンドで車輌へコンテンツを提供する。  【解決手段】  無線通信基地装置１４は車載端末装置１２へとコンテンツを通信により提供する。各無線通信基地装置１４は、車輌が接近する施設に配置されており、ネットワークを経由してブロードバンド通信でコンテンツを入手するブロードバンド通信部３０と、ブロードバンド通信部３０により入手されたコンテンツを車載端末装置１２へ提供するための無線ＬＡＮ通信部３２と、を有する。車載端末装置１２は、無線通信基地装置１４からコンテンツを受信するための無線ＬＡＮ通信部４０を有する。【選択図】  図１
2005051731.tif 000002
【特許請求の範囲】
【請求項１】
車載端末装置と、
前記車載端末装置へとコンテンツを通信により提供する複数の無線通信基地装置と、
を含み、
前記複数の無線通信基地装置の各々は、車輌が接近する施設に配置されており、ネットワークを経由してブロードバンド通信でコンテンツを入手するブロードバンド通信部と、前記ブロードバンド通信部により入手されたコンテンツを前記車載端末装置へ提供するための無線ＬＡＮ通信部と、を有し、
前記車載端末装置は、前記無線通信基地装置からコンテンツを受信するための無線ＬＡＮ機能を有することを特徴とする車輌コンテンツ提供システム。
【請求項２】
請求項１に記載の車輌コンテンツ提供システムにおいて、
前記無線通信基地装置は、自動販売機に設置されることを特徴とする車輌コンテンツ提供システム。
【請求項３】
請求項１に記載の車輌コンテンツ提供システムにおいて、
前記無線通信基地装置は、ロードサイド店舗に設置されることを特徴とする車輌コンテンツ提供システム。
【請求項４】
請求項１に記載の車輌コンテンツ提供システムにおいて、
前記無線通信基地装置は、大規模施設に設置されることを特徴とする車輌コンテンツ提供システム。
【請求項５】
請求項１に記載の車輌コンテンツ提供システムにおいて、
前記無線通信基地装置は、一戸建て住宅およびマンション住宅に設置されることを特徴とする車輌コンテンツ提供システム。
【請求項６】
請求項１に記載の車輌コンテンツ提供システムにおいて、
前記無線通信基地装置は、業務車輌事業者設備に設置されることを特徴とする車輌コンテンツ提供システム。
【請求項７】
車載端末装置へとコンテンツを通信により提供する無線通信基地装置であって、
車輌が接近する施設に配置され、
ネットワークを経由してブロードバンド通信でコンテンツを入手するブロードバンド通信部と、
前記ブロードバンド通信部により入手されたコンテンツを前記車載端末装置へ提供するための無線ＬＡＮ通信部と、
を有することを特徴とする無線通信基地装置。
【請求項８】
車輌に搭載され、無線通信基地装置からコンテンツの提供を受ける車載端末装置であって、
車輌が接近する施設に配置された無線通信基地装置とコンテンツを通信するための無線ＬＡＮ機能を備えることを特徴とする車載端末装置。
【請求項９】
請求項８に記載の車載端末装置において、
さらに、携帯電話機能を備え、入手するコンテンツに応じて無線ＬＡＮ通信と携帯電話通信を切り替えることを特徴とする車載端末装置。
【請求項１０】
請求項８に記載の車載端末装置において、
さらに、車載ＥＴＣ機能を備えることを特徴とする車載端末装置。
【請求項１１】
請求項１に記載の車輌コンテンツ提供システムにおいて、
前記車載端末装置が無線通信基地装置とコンテンツ通信を行ったことを検知する手段と、
コンテンツ通信を行った無線通信基地装置が設置される施設に対応する特定施設サービスを車輌ユーザに提供するための情報を生成する特定施設サービス提供手段と、
を含むことを特徴とする車輌コンテンツ提供システム。
【請求項１２】
請求項１に記載の車輌コンテンツ提供システムにおいて、
前記車載端末装置を搭載する車輌のユーザによる前記無線通信基地装置を備える施設での商品購入を検知する手段と、
商品を購入したユーザの車輌に搭載される前記車載端末装置のコンテンツ通信に関する特定通信サービスを提供するための情報を生成する特定通信サービス提供手段と、
を含むことを特徴とする車輌コンテンツ提供システム。
【請求項１３】
車載端末装置へと通信によりコンテンツを提供する車輌コンテンツ提供方法であって、
車輌が接近する施設に配置される無線通信基地装置が、ブロードバンド通信によりネットワークを経由してコンテンツを入手するステップと、
前記無線通信基地装置から車載端末装置へ無線ＬＡＮによりコンテンツを送信するステップと、
を含むことを特徴とする車輌コンテンツ提供方法。
【請求項１４】
請求項１に記載の車輌コンテンツ提供システムにおいて、
前記無線通信基地装置に備えられ、前記無線通信基地装置を備える施設での商品購入を検知する手段と、
前記無線通信基地装置に備えられ、前記車載端末装置を搭載する車輌のユーザが持つ識別体から、前記識別体に保持される識別情報であって、前記ユーザを識別するための識別情報を読みとる識別情報読取装置と、
商品購入の際に前記識別情報が読みとられたとき、前記識別情報で特定されるユーザの車輌に搭載される前記車載端末装置のコンテンツ通信に関する特定通信サービスを提供するための情報を生成する特定通信サービス提供手段と、
を含むことを特徴とする車輌コンテンツ提供システム。
【請求項１５】
請求項１４に記載の車輌コンテンツ提供システムにおいて、
前記識別情報読取装置は、ユーザが保持するＩＣタグから前記識別情報を読みとることを特徴とする車輌コンテンツ提供システム。
【請求項１６】
請求項１４に記載の車輌コンテンツ提供システムにおいて、
前記特定通信サービス提供手段は、コンテンツと交換可能なポイント情報であって、購入された商品に応じた量のポイント情報を生成することを特徴とする車輌コンテンツ提供システム。
【請求項１７】
請求項１に記載の車輌コンテンツ提供システムにおいて、
前記車載端末装置に備えられ、前記識別体から前記識別情報を読みとる車載識別情報読取装置と、
前記車載端末装置で特定のコンテンツが利用され、かつ、前記車載識別情報読取装置により前記識別情報が読みとられたときに、特定通信サービスを提供するための情報を生成する特定通信サービス提供手段と
を有することを特徴とする車輌コンテンツ提供システム。
【発明の詳細な説明】
【技術分野】
【０００１】
本発明は、車載端末装置に向けてコンテンツを通信で提供する車輌コンテンツ提供システムに関する。
【背景技術】
【０００２】
ＩＴ技術および通信技術が発展する中で、これらを車輌に適用するための技術として、ＩＴＳおよびテレマィクス技術が注目を集めている。テレマティクスは、周知のように、車輌に通信で各種情報を提供する技術である。従来のテレマティクスは、一般に、携帯電話のような無線通信技術により実現されている（例えば特許文献１）。
【特許文献１】特開２００２−２９３２５公報（第３、４ページ、図１）。
【発明の開示】
【発明が解決しようとする課題】
【０００３】
従来のテレマティクスは、上記のごとく携帯電話を用いており、通信の帯域は相当に制限されている。一方、インターネットの分野では、ブロードバンド通信が普及しており、ブロードバンド通信を利用することを前提としたコンテンツ提供も一般化している。このようなコンテンツを車輌でも同様に利用可能にすることが望まれる。
【０００４】
本発明は上記課題に鑑みてなされたものであり、その目的は、ブロードバンドでの車輌へのコンテンツ提供を可能にする技術を提供することにある。
【課題を解決するための手段】
【０００５】
本発明の車輌コンテンツ提供システム（すなわち車輌向けコンテンツ提供システム）は、車載端末装置と、前記車載端末装置へとコンテンツを通信により提供する複数の無線通信基地装置と、を含み、前記複数の無線通信基地装置の各々は、車輌が接近する施設に配置されており、ネットワークを経由してブロードバンド通信でコンテンツを入手するブロードバンド通信部と、前記ブロードバンド通信部により入手されたコンテンツを前記車載端末装置へ提供するための無線ＬＡＮ通信部と、を有し、前記車載端末装置は、前記無線通信基地装置からコンテンツを受信するための無線ＬＡＮ機能を有する。
【０００６】
上記のように、本発明によれば、複数の無線通信基地装置が、車輌が接近する施設に設置される。各無線通信基地装置は、ネットワーク経由でブロードバンド通信によりコンテンツを入手し、そして、無線ＬＡＮで車載端末装置にコンテンツを提供する。無線ＬＡＮは比較的広帯域の通信が可能である。したがって、無線通信基地装置のネットワーク側のブロードバンド通信と車輌へ向けての無線ＬＡＮとにより、特に、車載端末装置の通信に上述の無線通信基地装置との無線ＬＡＮを採用する新規かつ独自の構成により、ブロードバンド環境下での車載端末へのコンテンツ提供を実現できる。
【０００７】
本発明においては、複数の無線通信基地装置が設置される場所は、上述のように車輌が接近する施設であり、例えば自動販売機およびロードサイド店舗である。このような基地設置場所の設定により、多くの場所に無線通信基地装置を設置できる。複数の無線通信基地装置の配置は、それらによるトータルでの無線ＬＡＮ通信範囲が広範囲を網羅するように設定し、かつ、車輌が移動可能な場所を極力抜け目無く網羅するように設定することが好適であり、これにより、車載端末装置は、各種の場所でコンテンツ提供を受けられる。
【０００８】
好ましくは、前記無線通信基地装置は、自動販売機に設置される。自動販売機は各種の場所に散在している。また、自動販売機は、ロードサイドなど、車輌が接近する場所に設置されることが多い。したがって、自動販売機を無線通信基地装置の設置場所として活用することで、本発明により車輌にコンテンツを提供可能な場所を広く設定できる。
【０００９】
さらに、自動販売機に無線通信基地装置を配置することで、無線ＬＡＮ機能を、自動販売機の商品販売のための情報通信に応用することも可能である。また、無線通信基地装置のブロードバンド通信機能を、自動販売機の遠隔制御および売上情報等の通信に応用可能である。
【００１０】
また、好ましくは、前記無線通信基地装置は、ロードサイド店舗に設置される。本発明によれば、ロードサイド店舗に無線通信基地装置を設置することで、コンテンツとともに、車輌がアクセスするロードサイド店舗の広告等の情報を車載端末装置に提供できる。
【００１１】
また、好ましくは、前記無線通信基地装置は、大規模施設に設置される。本発明によれば、大規模施設に無線通信基地装置を設置することで、コンテンツとともに、車輌がアクセスする大規模施設に関連する情報を車載端末装置に提供できる。
【００１２】
また、好ましくは、前記無線通信基地装置は、一戸建て住宅およびマンション住宅に設置される。典型的には、無線通信基地装置は、車輌ユーザの自宅に設置される。設置場所は例えば駐車場である。このような構成により、車輌ユーザのパーソナルコンピュータの情報と車載端末の情報を共通にすることができる。
【００１３】
また、好ましくは、前記無線通信基地装置は、業務車輌事業者設備に設置される。本発明によれば、業務車輌事業者設備に無線通信基地装置を設置することで、コンテンツとともに、業務車輌に関する情報を車載端末装置に提供できる。業務関連情報を事業者設備のコンピュータに転送するために無線ＬＡＮを応用することも可能である。
【００１４】
本発明の別の態様は、車載端末装置へとコンテンツを通信により提供する無線通信基地装置である。この装置は、車輌が接近する施設に配置される。そして、この装置は、ネットワークを経由してブロードバンド通信でコンテンツを入手するブロードバンド通信部と、前記ブロードバンド通信部により入手されたコンテンツを前記車載端末装置へ提供するための無線ＬＡＮ通信部と、を有する。この態様によっても、上述の本発明の利点が得られる。
【００１５】
本発明の別の態様は、車輌に搭載され、無線通信基地装置からコンテンツの提供を受ける車載端末装置であり、この装置は、車輌が接近する施設に配置された無線通信基地装置とコンテンツを通信するための無線ＬＡＮ機能を備える。この態様によっても、上述した本発明の利点が得られる。
【００１６】
好ましくは、車載端末装置は、さらに、携帯電話機能を備え、入手するコンテンツに応じて無線ＬＡＮ通信と携帯電話通信を切り替える。好ましくは、車載端末装置は、さらに、車載ＥＴＣ機能を備える。
【００１７】
また、好ましくは、本発明の車輌コンテンツ提供システムは、前記車載端末装置が無線通信基地装置とコンテンツ通信を行ったことを検知する手段と、コンテンツ通信を行った無線通信基地装置が設置される施設に対応する特定施設サービスを車輌ユーザに提供するための情報を生成する特定施設サービス提供手段と、を含む。
【００１８】
また、好ましくは、本発明の車輌コンテンツ提供システムは、前記車載端末装置を搭載する車輌のユーザによる前記無線通信基地装置を備える施設での商品購入を検知する手段と、商品を購入したユーザの車輌に搭載される前記車載端末装置のコンテンツ通信に関する特定通信サービスを提供するための情報を生成する特定通信サービス提供手段と、を含む。
【００１９】
また、好ましくは、本発明のコンテンツ提供システムは、前記無線通信基地装置に備えられ、前記無線通信基地装置を備える施設での商品購入を検知する手段と、前記無線通信基地装置に備えられ、前記車載端末装置を搭載する車輌のユーザが持つ識別体から、前記識別体に保持される識別情報であって、前記ユーザを識別するための識別情報を読みとる識別情報読取装置と、商品購入の際に前記識別情報が読みとられたとき、前記識別情報で特定されるユーザの車輌に搭載される前記車載端末装置のコンテンツ通信に関する特定通信サービスを提供するための情報を生成する特定通信サービス提供手段と、を含む。
【００２０】
本発明によれば、商品購入の際に、無線通信基地装置の識別情報読取装置が識別体から識別情報を読み取ると、識別情報で特定されるユーザの車輌に搭載される車載端末装置のコンテンツ通信に関する特定通信サービスを提供するための情報を生成するので、ユーザは商品購入によって付随的に特定通信サービスを受けられるので有利であり、また、販売促進ができる点で、無線通信基地装置を設置する施設の運営者にも有利なシステムを提供できる。
【００２１】
また、本発明では、車載端末装置のユーザがもつ識別体からユーザが特定され、そのユーザを対象として、該ユーザの車載端末装置のコンテンツ通信に関する特定通信サービス提供用の情報が生成され、付与される。このように、車載端末装置と別体の識別体という媒体を使ったことで、特定通信サービスを、確実に、商品を購入したユーザの車載端末装置へ向けて提供できる。
【００２２】
好ましくは、前記識別情報読取装置は、ユーザが保持するＩＣタグから前記識別情報を読みとる。ＩＣタグを用いることで、容易に識別情報を無線通信基地装置に読み取らせることができる。
【００２３】
好ましくは、前記特定通信サービス提供手段は、コンテンツと交換可能なポイント情報であって、購入された商品に応じた量のポイント情報を生成する。コンテンツと交換可能なポイントを、特定通信サービスを提供するための情報として処理することで、商品の販売を好適に促進できる。ポイント等の特定通信サービス提供のための情報は、特定通信サービス提供手段として機能する無線通信基地装置で生成されてもよい。同情報は、その管理機能をもつサーバで生成されてもよく、このサーバは、無線通信基地装置に接続され、本発明のシステムを構成し、特定通信サービス提供手段として機能する。
【００２４】
また、好ましくは、本発明のコンテンツ提供システムは、前記車載端末装置に備えられ、前記識別体から前記識別情報を読みとる車載識別情報読取装置と、前記車載端末装置で特定のコンテンツが利用され、かつ、前記車載識別情報読取装置により前記識別情報が読みとられたときに、特定通信サービスを提供するための情報を生成する。
【００２５】
本発明によれば、車輌でも、識別体を利用して、特定通信サービスを提供するための処理ができ、例えば、コンテンツと交換可能なポイント情報を獲得するための処理ができる。ユーザにとって有利であり、また、特定コンテンツの利用を促進できる点で、コンテンツ提供側にとっても有利である。ここでも、ポイント等の特定通信サービス提供のための情報は、特定通信サービス提供手段として機能する車載端末装置で生成されてもよい。同情報は、その管理機能をもつサーバで生成されてもよく、このサーバは、本発明のシステムを構成し、特定通信サービス提供手段として機能する。
【００２６】
本発明の別の態様は、車載端末装置へと通信によりコンテンツを提供する車輌コンテンツ提供方法であり、この方法は、車輌が接近する施設に配置される無線通信基地装置が、ブロードバンド通信によりネットワークを経由してコンテンツを入手するステップと、前記無線通信基地装置から車載端末装置へ無線ＬＡＮによりコンテンツを送信するステップと、を含む。この態様によっても、上述した本発明の利点が得られる。
【発明の効果】
【００２７】
上述のように、本発明によれば、無線通信基地装置にブロードバンド通信機能と無線ＬＡＮ機能を備え、車載端末装置に無線ＬＡＮを備えたことで、特に、車載端末装置との通信に、無線通信基地装置との無線ＬＡＮを採用する新規かつ独自の構成により、ブロードバンド環境下での車載端末装置へのコンテンツ提供を実現できる。
【発明を実施するための最良の形態】
【００２８】
以下、本発明の実施の形態を図面を参照して説明する。
【００２９】
図１は、本実施の形態の車輌コンテンツ提供システムを示している。車輌コンテンツ提供システム１０は、車載端末装置１２および無線通信基地装置１４で構成される。無線通信基地装置１４は例えば本出願人が提供するシステムに採用されるブロードバンドＩＴＳルータ（商標）であり、また、車載端末装置１２は例えば本出願人が提供するシステムに採用されるＭＡＧ（Multimedia Automotive Gateway、商標）である。車載端末装置１２は車輌に搭載されており、一方、無線通信基地装置１４は、車輌が接近する施設に配置されており、具体的には、図示のように、自動販売機、ロードサイド店舗、大規模施設、一戸建て住宅、マンション住宅および業務車輌事業者設備に設置される。
【００３０】
自動販売機は、例えば飲料の自動販売機であり、無線通信基地装置１４は好適には自動販売機に内蔵される。ロードサイド店舗は、例えば、ドライブスルー、ガソリンスタンド、ファミリーレストラン、カーディーラー、コンビニエンスストア、ショッピングモールおよびテーマパークである。また、大規模施設は、例えばスタジアム、屋内駐車場、空港、駅、大規模商業店舗、パーキングエリアおよび道の駅である。また、一戸建て住宅およびマンション住宅は、車輌ユーザの自宅である。また、業務車輌事業者設備は、例えばタクシー会社の施設である。
【００３１】
ただし、無線通信基地装置１４は、後述する無線ＬＡＮ通信が可能な範囲で車輌が接近する場所にある施設に配置されればよく、施設の種類は上記に挙げたものには限定されない。
【００３２】
無線通信基地装置１４は、ブロードバンド通信機能を有し、インターネット１６を経由して、コンテンツプロバイダ１８からコンテンツを入手する。コンテンツは、例えば、ゲーム、旅行情報、ショッピング、映画、プレゼント、健康、アウトドア、オークションのコンテンツである。ブロードバンドに適した大容量のコンテンツも好適に入手される。
【００３３】
無線通信基地装置１４は、さらに無線ＬＡＮ機能を有する。車載端末装置１２も無線ＬＡＮ機能を有しており、両者の間では、無線ＬＡＮによりコンテンツが通信される。
【００３４】
車載端末装置１２は、無線通信基地装置１４との通信機能に加えて、テレマティクスセンタ２０との通信機能を備える。この通信機能は携帯電話で実現され、本実施の形態ではＣＤＭＡが採用されている。テレマティクスセンタ２０は、コンテンツデータベース２２を有し、コンテンツデータベース２２に記憶された各種のコンテンツを携帯電話通信により車載端末装置１２へと提供する。
【００３５】
車載端末装置１２は、さらに、ＥＴＣ装置２４との通信機能を備える。ＥＴＣ装置２４は周知のように有料道路の料金所に設置されており、ＥＴＣ装置２４と車載端末装置１２との間ではＥＴＣ用の通信が行われる。
【００３６】
次に、図２は、無線通信基地装置１４の構成を示している。無線通信基地装置１４はコンピュータで構成されており、図示のように、ブロードバンド通信部３０、無線ＬＡＮ通信部３２、通信制御管理部３４およびコンテンツ蓄積サーバ３６を有する。ブロードバンド通信部３０は、インターネット１６からコンテンツを入手するためのブロードバンド通信を行う。ブロードバンド通信部３０は、有線通信装置であり、有線で外部へと接続される。また、本実施の形態において、ブロードバンド通信は、従来の電話回線より広帯域の通信をいい、典型的にはＡＤＳＬおよび光ファイバである。
【００３７】
無線ＬＡＮ通信部３２は、前述したように、車載端末装置１２との間での無線ＬＡＮによる通信を行い、この通信によりコンテンツが車輌へ提供される。無線ＬＡＮは比較的広帯域の通信が可能であり、例えば現状では５０Ｍｂｐｓの通信が可能である。
【００３８】
通信制御管理部３４は、無線通信基地装置１４全体の制御部に含まれており、ブロードバンド通信部３０および無線ＬＡＮ通信部３２を制御して、コンテンツをインターネット１６から入手して車載端末装置１２へ送出するための処理を行う。より詳細には、通信制御管理部３４は、ブロードバンド通信部３０を制御してインターネット１６からコンテンツを入手し、そのコンテンツを無線ＬＡＮ通信部３２に車載端末装置１２へ送信させる。
【００３９】
また、コンテンツ蓄積サーバ３６は、通信制御管理部３４により制御され、過去に入手されたコンテンツを蓄積する。通信制御管理部３４は、車載端末装置１２へ送るべきコンテンツがコンテンツサーバ３６に記憶されている場合には、そのコンテンツを読み出して車載端末装置１２へ送ることができる。
【００４０】
また、コンテンツ蓄積サーバ３６は、無線通信基地装置１４が設置される施設に関する情報、例えば、広告情報を記憶してもよい。この情報は、インターネット１６から入手されるコンテンツと共に車載端末装置１２へ提供されてよい。
【００４１】
さらに、図示されないが、無線通信基地装置１４は、携帯電話等の無線通信機能を備えてもよい。この無線通信機能は、無線通信基地装置１４が有線通信不可能な場所、例えば山間部の自動販売機に設置されるときに有用であり、ブロードバンド通信部３０の代わりにコンテンツを入手するために利用可能である。
【００４２】
以上、図２の無線通信基地装置１４について説明した。上述のように、本発明の独自の技術として、無線基地装置１４が、車載端末装置１２との通信のために無線ＬＡＮ通信部３２を備えており、そして、無線ＬＡＮ通信部３２を制御し、ブロードバンド通信で入手したコンテンツを無線ＬＡＮ通信部３２に車載端末装置１２へ送信させる通信管理制御部３４を備えている。
【００４３】
次に、図３は、車載端末装置１２の構成を示す機能ブロック図である。車載端末装置１２は車載用のコンピュータで構成されている。図示のように、車載端末装置１２は、無線ＬＡＮ通信部４０、携帯電話部４２、ＥＴＣ通信部４４および通信制御管理部４６を有する。
【００４４】
無線ＬＡＮ通信部４０は、無線通信基地装置１４との間で無線ＬＡＮによりコンテンツの通信を行う。携帯電話部４２は、テレマティクスセンタ２０との間で携帯電話機能によるコンテンツの通信を行う。本実施の形態では、ＣＤＭＡが採用されている。さらに、ＥＴＣ通信部４４は、料金所のＥＴＣ装置２４との間でＥＴＣの無線通信を行い、これにより料金収受の情報処理が行われる。
【００４５】
また、車載端末装置１２は出力装置４８および入力装置５０を有する。出力装置４８は、典型的にはディスプレイおよびスピーカであり、無線通信基地装置１４およびテレマティクスセンタ２０から入手されたコンテンツを出力する。また、出力装置４８は、ＥＴＣの料金収受に関する情報をユーザに提示する。入力装置５０は例えば各種スイッチおよびボタンで構成される。入力装置５０はディスプレイに設けられたタッチパネルを含んでもよい。入力装置５０は、ユーザが各種の指示を入力するために用いられる。コンテンツ提供に関するリクエスト等の指示が入力され、また、ＥＴＣに関する指示が入力される。
【００４６】
図示されないが、車載端末装置１２は、さらに別の機能を有していてもよい。車載端末装置１２は、例えば、ナビゲーション装置の機能を有してもよく、オーディオおよびエアコン等の車内機器の制御パネルの機能を有してもよい。
【００４７】
次に、上述した車輌コンテンツ提供システム１０によるコンテンツ提供処理について説明する。
【００４８】
車輌のユーザは、車輌を運転し、移動する過程で、自動販売機、ロードサイド店舗、大規模施設といった各種の施設にアクセスする。また、ユーザは、自宅のある一戸建て住宅またはマンション住宅の駐車場に車輌を駐車する。さらに、業務用車輌の運転手であるユーザ、例えばタクシー運転手は、自分の会社の施設に車輌を運ぶ。
【００４９】
車輌が接近した施設に無線通信基地装置１４が設置されている場合、車載端末装置１２は、無線通信基地装置１４の無線ＬＡＮ通信エリアに入ったことを検知し、無線ＬＡＮによるコンテンツ入手が可能である旨を、ディスプレイ等を用いてユーザに提示し、ユーザからのコンテンツ要求の指示を待つ。このとき、提供可能なコンテンツがユーザに提示されてもよい。
【００５０】
ユーザがコンテンツを要求する指示を入力すると、この指示が車載端末装置１２から無線通信基地装置１４に送られる。無線通信基地装置１４は、要求に対応するコンテンツを、ブロードバンド通信によりインターネット１６を経由してコンテンツプロバイダから入手する。そして、入手されたコンテンツは、無線ＬＡＮ通信で車載端末装置１２に送信され、出力装置４８から出力される。
【００５１】
また、車載端末装置１２は、無線通信基地装置１４が設置された施設に関する情報をユーザに提示してもよい。この情報は、無線通信基地装置１４のコンテンツ蓄積サーバ３６から読み出され、車載端末装置１２に送られ、ユーザに提示される。提示される情報は、例えば広告である。また、レストランのメニュー、スタジアムで開催されるイベントの内容等の情報が提示されてもよい。
【００５２】
車輌が無線通信基地装置１４から離れると、無線ＬＡＮ通信が不可能になる。車載端末装置１２は、無線ＬＡＮ通信が不可能であることを検知すると、その旨をユーザに提示する。このとき、テレマティクスセンタ２０から携帯電話でコンテンツを入手可能である旨もユーザに報される。ユーザは、車載端末装置１２を操作して、適宜、テレマティクスセンタ２０へのコンテンツ要求の指示を入力する。この指示がテレマティクスセンタ２０に送られ、要求に対応するコンテンツがデータベース２２から読み出され、車載端末装置１２に送られる。
【００５３】
なお、車載端末装置１２は、無線通信基地装置１４との無線ＬＡＮ通信が不可能なときに限らず、無線ＬＡＮ通信が可能なときでもテレマティクスセンタ２０からコンテンツを入手してよい。
【００５４】
また、車輌がＥＴＣ装置２４に近づくと、車載端末装置１２では、ＥＴＣ通信部４４によるＥＴＣ装置２４との通信が可能になる。そして、ＥＴＣ通信による料金収受の処理が行われる。
【００５５】
以上に、本発明の好適な実施の形態を説明した。上述のように、本発明によれば、車輌が接近する各種の施設に無線通信基地装置が設置される。各無線通信基地装置は、ネットワーク経由でブロードバンド通信によりコンテンツを入手し、そして、無線ＬＡＮで車載端末にコンテンツを提供する。したがって、無線通信基地装置のネットワーク側のブロードバンド通信と車輌へ向けての無線ＬＡＮとにより、特に、車載端末装置との通信に、無線通信基地装置との無線ＬＡＮを採用する新規かつ独自の構成により、ブロードバンド環境下での車載端末へのコンテンツ提供を実現できる。
【００５６】
ここで、携帯電話を使うような従来の車輌のインターネット接続は、インターネットＩＴＳといわれる。これに対して、上述のコンテンツ提供は、ブロードバンド環境下で行われ、ブロードバンドＩＴＳということができる。本発明は、このようなブロードバンドＩＴＳを実現可能にするものである。
【００５７】
また、本発明においては、複数の無線通信基地装置が設置される場所は、上述のように車輌が接近する施設であり、例えば自動販売機およびロードサイド店舗である。このような基地設置場所の設定により、多くの場所に無線通信基地装置を設置できる。複数の無線通信基地装置の配置は、それらによるトータルでの無線ＬＡＮ通信範囲が広範囲を網羅するように設定し、かつ、車輌が移動可能な場所を極力抜け目無く網羅するように設定することが好適であり、これにより、車載端末装置は、各種の場所でコンテンツ提供を受けられる。
【００５８】
また本発明では、無線通信基地装置が自動販売機に設置されている。自動販売機は各種の場所に散在しており、また、自動販売機は、ロードサイドなど、車輌が接近する場所に設置されることが多い。したがって、自動販売機を無線通信基地装置の設置場所として活用することで、本発明により車輌にコンテンツを提供可能な場所を広く設定できる。
【００５９】
さらに、自動販売機に無線通信基地装置を配置することで、無線ＬＡＮ機能を、自動販売機の商品販売のための情報通信に応用することも可能である。また、無線通信基地装置のブロードバンド通信機能を、自動販売機の遠隔制御および売上情報等の通信に応用可能である。
【００６０】
また、本発明では、無線通信基地装置がロードサイド店舗に設置される。これにより、コンテンツとともに、車輌がアクセスするロードサイド店舗の広告等の情報を車載端末装置に提供できる。
【００６１】
また、本発明では、無線通信基地装置が大規模施設に設置される。これにより、コンテンツとともに、車輌がアクセスする大規模施設に関連する情報を車載端末装置に提供できる。例えば、スタジアムの駐車場の無線通信基地装置から、スタジアムで開催されるイベントの情報を提供できる。
【００６２】
また、本発明では、無線通信基地装置が一戸建て住宅およびマンション住宅に設置される。典型的には、無線通信基地装置は車輌ユーザの自宅に設置され、これにより、車輌ユーザのパーソナルコンピュータの情報と車載端末の情報を共通にすることができる。
【００６３】
また、本発明では、無線通信基地装置が業務車輌事業者設備に設置される。これにより、コンテンツとともに、業務車輌に関する情報を車載端末装置に提供できる。業務関連情報を車輌から事業者設備のコンピュータに転送するために無線ＬＡＮを応用することも可能である。
【００６４】
また、本発明では、車載端末装置は無線ＬＡＮ機能に加えて携帯電話機能を備え、入手するコンテンツに応じて無線ＬＡＮ通信と携帯電話通信を切り替える。また、本発明では、車載端末装置がさらに車載ＥＴＣ機能を備える。上述したように、携帯電話を使ったテレマティクスがインターネットＩＴＳといわれるのに対して、本発明のブロードバンドおよび無線ＬＡＮを使うコンテンツ配信はブロードバンドＩＴＳと呼ぶことができる。そして、本発明では、車載端末装置に無線ＬＡＮ機能、携帯電話機能、ＥＴＣ通信機能およびそれらを制御する機能を備えたことにより、インターネットＩＴＳ、ブロードバンドＩＴＳ、ＥＴＣといった車輌に関するＩＴＳ機能を総合的にシームレスに網羅し、これら機能を車輌で利用可能にできる。
【００６５】
また、上述のブロードバンドＩＴＳに関しては、通信料金を低額または無料に設定することが好適である。通信料金が例えば広告収入で賄われる。これにより、ユーザは、テレマティクスセンタ２０との通信ゾーンから無線通信基地装置との無線ＬＡＮ通信ゾーンに入ることで、低コストでコンテンツを入手でき、ユーザにとって有利なサービスを提供できる。また、無線通信基地装置１４を備える施設の利用を促進でき、施設側にも有利である。
【００６６】
次に、上述した車輌コンテンツ提供システムに好適に適用されるコンテンツローミングシステムについて説明する。コンテンツ配信サービスを行う上で、コンテンツを受け取る端末の機能は様々であり、また、コンテンツ配信に使われる通信機能も様々である。
【００６７】
例えば、端末機能のうちの表示機能に着目すると、映像表示が可能な端末があれば、文字表示しかできない端末もある。また、音声機能については、音声再生可能な端末があれば、不可能な端末もある。
【００６８】
一方、通信機能に関しては、通信エリアが広域の場合もあれば、狭域の場合もある。上述の例では、無線通信ＬＡＮが前者に相当する。また、通信速度が高速の場合もあれば、低速の場合もある。
【００６９】
コンテンツローミングシステムは、上述のような端末機能および通信機能に適したコンテンツを配信するためのシステムである。
【００７０】
図４は、端末機能に合わせたコンテンツローミングを示している。図示のように、同一サービス内容が、端末の機能に合わせた形で配信される。これを実現するために、車載端末装置は、コンテンツを受信するとき、その端末が持つ機能をコンテンツ配信センタに通信で知らせる。コンテンツ配信センタは、例えば、図１のテレマティクスセンタ２０である。コンテンツ配信センタは、端末の機能に応じたコンテンツを配信する。例えば、映画情報のコンテンツを提供するとき、画像表示およびテキスト表示が可能な端末Ａには映画の画像データおよび題名等のテキストデータが送信される。テキスト表示機能のみをもつ端末Ｂには映画の題名等のテキストデータのみが送信される。また、テキスト表示機能と音声再生機能とをもつ端末Ｃには、テキストデータに加えて、解説および映画音楽の音声データが送信される。さらに、音声再生機能のみをもつ端末Ｄには、音声データのみが送信される。コンテンツ配信センタは、コンテンツローミングを行うために、データベースのコンテンツを使って、各種の形態のコンテンツを生成し、配信する。上述した各種の形態のコンテンツが予め記憶されており、通信相手の端末機能に適合するコンテンツが読み出され、配信されてもよい。
【００７１】
このような端末機能に合わせたコンテンツローミングを行うことにより、端末に適したコンテンツを配信できる。端末で出力できないデータを無駄に通信するのを回避でき、通信時間を節約でき、迅速にコンテンツを提供できる。
【００７２】
次に、図５は、通信機能に合わせたコンテンツローミングを示している。図示のように、ここでは、通信速度に合わせた形態のコンテンツが配信される。端末Ａが画像表示機能をもつとする。端末Ａは、通信機能としての通信速度をコンテンツ配信センタに通信で通知する。高速通信利用時、すなわち、端末Ａとコンテンツ配信センタが高速通信で接続されているときには、コンテンツ配信センタは、高品質画像を端末Ａに配信する。一方、低速通信利用時には、画質を劣化させた低品質の画像データが配信される。画質の劣化によりデータ量が減り、通信時間の増大を防止できる。
【００７３】
コンテンツ配信センタは、図１のテレマティクスセンタでよい。コンテンツ配信センタは、携帯電話で車載端末装置と接続される。また、コンテンツ配信センタは、インターネットのコンテンツプロバイダの機能をもち、ブロードバンド通信が可能な無線通信基地装置を介して車載端末装置と接続され、そして、コンテンツ配信センタは、車載端末との通信形態が携帯電話かブロードバンド通信かを判断し、それによってコンテンツの形態を切り替えてもよい。適当な形態のコンテンツが生成されて、配信される。複数の形態のコンテンツが予め記憶されており、適当なコンテンツが選択され、配信されてもよい。
【００７４】
また、本実施の形態では、車載端末装置が、通信形態から適切なコンテンツの形態を判断し、コンテンツの要求とともに、コンテンツの形態に関する要求をコンテンツ配信センタに送ってもよい。
【００７５】
なお、コンテンツの形態の切替えは、例えば、上述の高画質と低画質との間の画質の切り替えである。また、画像とテキストの切り替えでもよく、画像と音声の切り替えでもよい。コンテンツが切り替えられると、コンテンツの内容は同一種類のものであっても、データ量が変化する。
【００７６】
上記のような通信機能に合わせたコンテンツローミングを行うことにより、通信機能に合わせた形態のコンテンツを提供できる。狭帯域および低速通信にて大容量コンテンツを送信することを防止でき、かつ、広帯域および高速通信を使って大容量コンテンツを送信でき、通信時間の増大によるコンテンツ提供の遅延を招くことなく、できるだけ大容量コンテンツを提供して、豊富な情報を伝達できる。
【００７７】
次に、本実施の形態の車輌コンテンツ提供システムに好適に適用される特定施設サービス提供システムについて説明する。
【００７８】
図６を参照すると、この例では、無線通信基地装置１４は、ロードサイド店舗であるファストフード店に備えられている。無線通信基地装置１４に車輌が接近し、車載端末装置１２へ無線通信基地装置１４がコンテンツを無線ＬＡＮで送ったとする。このとき、無線通信基地装置１４の通信制御管理部３４は、自ら通信を制御しているので、車載端末装置１２が無線通信基地装置１４とコンテンツ通信を行ったことを検知できる。コンテンツ通信が行われたことを検知すると、通信制御管理部３４は、特定施設サービスを車輌ユーザに提供するための情報を生成する。
【００７９】
特定施設サービスは、コンテンツ通信を行った無線通信基地装置１４が設置される施設に対応するサービスである。図６の例では、無線通信基地装置１４はファストフード店に備えられる。この場合、特定施設サービスは、例えば、商品の割引サービスであり、また例えば、特定の商品の無料サービスであり、また例えば、おまけ等の特定の品物の提供サービスである。
【００８０】
ここでは、特定施設サービスが、商品の割引サービスであるとする。そして、特定施設サービスを車輌ユーザに提供するための情報を特典情報という。特典情報は、言い換えれば車輌ユーザが特定施設サービスを受けるための情報である。特典情報は、例えば、商品割引を知らせる画像情報である。通信制御管理部３４は、特典情報である画像情報を、無線ＬＡＮにより車載端末装置１２に送信する。車載端末装置１２では、特典情報が受信され、ディスプレイに表示される。車輌ユーザは、ドライブスルーを利用するときに、特典情報の画面を店員に見せる。これにより、商品の割引サービスが受けられる。
【００８１】
特典情報は上記の画像情報に限定されない。特典情報は例えば数字、文字列等の適当な暗号でもよい。暗号が車載端末装置１２に送られ、表示され、あるいは音声出力される。ユーザは、暗号を店員に伝えることで、割引サービスを受けられる。
【００８２】
図７は、上述の特定施設サービス提供に関する車輌コンテンツ提供システムの動作の好適な例を示している。図示のように、車載端末装置１２と無線通信基地装置１４の間でコンテンツ通信が行われると（Ｓ１０）、無線通信基地装置１４（通信制御管理部３４）がコンテンツ通信を検知し（Ｓ１２）、特典情報を生成する（Ｓ１４）。特典情報は車載端末装置１２に送信され（Ｓ１６）、ディスプレイに表示される（Ｓ１８）。この特典情報が店員に提示され、特定施設サービス、例えば上述の割引サービスが受けられる。
【００８３】
以上、本発明の特定施設サービス提供機能について説明した。このような機能を備えることにより、ユーザは割引等の施設サービスを受けられる。これにより、無線通信基地装置を備える施設の利用を促進でき、施設側にも有利である。したがって、ユーザにとっても施設にとっても有利なシステムを提供できる。
【００８４】
なお、上述の実施の形態では、無線通信基地装置、特にその通信管理制御部が、車載端末装置が無線通信基地装置とコンテンツ通信を行ったことを検知するコンテンツ通信検知手段に相当し、かつ、コンテンツ通信を行った無線通信基地装置が設置される施設に対応する特定施設サービスを車輌ユーザに提供するための情報を生成する特定施設サービス提供手段に相当している。
【００８５】
しかし、本発明は上記構成に限定されない。例えば、コンテンツ通信が行われたことは、車載端末装置１２で検知されてもよい。また、特定施設サービスを提供するための情報（上述の特典情報）は、車載端末装置で生成されてもよい。また、同情報は、無線通信基地装置と接続された商品販売用のコンピュータ装置で生成されてもよい。また、特典情報は、車載端末装置でなく、商品受渡コーナーの表示装置に表示されてもよい。
【００８６】
次に、本実施の形態の車輌コンテンツ提供システムに好適に適用される特定通信サービス提供システムについて説明する。
【００８７】
図８を参照すると、この例でも、無線通信基地装置１４は、ロードサイド店舗であるファストフード店に備えられている。そして、無線通信基地装置１４に車輌が接近し、車載端末装置１２へ無線通信基地装置１４がコンテンツを無線ＬＡＮで送ったとする。一方で、車輌ユーザはファストフード店で商品を購入したとする。
【００８８】
無線通信基地装置１４は、商品受渡コーナーに設置された商品販売用のコンピュータ６０と通信可能に接続されており、同コンピュータから商品購入を知らせる通知を受ける。これにより、無線通信基地装置１４の通信制御管理部３４は、商品購入を検知する。そして、通信制御管理部３４は、商品購入を検知すると、商品を購入したユーザの車輌に搭載される車載端末装置１２のコンテンツ通信に関する特定通信サービスを提供するための情報を生成する。特定通信サービスは、例えば、通信料金の割引サービスである。通信料金割引サービスの情報は、無線通信基地装置１４からインターネット経由で、通信料金管理装置（図示せず）に送信される。割引サービスの情報は、無線通信基地装置１４から車載端末装置１２に送られ、車載端末装置１２から通信料金管理装置に送られてもよく、この場合には、携帯電話機能が利用されてよい。また、通信料金管理装置は例えばテレマティクスセンタ（図１、符号２０）に備えられる。
【００８９】
図９は、上述の特定通信サービス提供に関する車輌コンテンツ提供システムの動作の好適な例を示している。図示のように、無線通信基地装置１４の通信制御管理部３４は、商品販売用のコンピュータからの通知により（Ｓ２０）、商品が購入されたことを検知する（Ｓ２２）。そして、通信制御管理部３４は、特定通信サービスを提供するための情報を生成する（Ｓ２４）。この情報は、図９の例では通信料金割引の情報であり、車載端末装置１２の識別情報の情報を含む。生成された情報は、図示しない通信料金管理装置に送られ（Ｓ２６）、これによりコンテンツ通信を行った車載端末装置１２の通信料金が割り引かれる。
【００９０】
以上、本発明の特定通信サービス提供機能について説明した。このような機能を備えることにより、ユーザは割引等の特定通信サービスを受けられる。これにより、無線通信基地装置を備える施設の利用を促進でき、施設側にも有利である。したがって、ユーザにとっても施設にとっても有利なシステムを提供できる。
【００９１】
なお、上述の実施の形態では、無線通信基地装置、特にその通信管理制御部が、車載端末装置を搭載する車輌のユーザによる無線通信基地装置を備える施設での商品購入を検知する商品購入検知手段に相当し、また、商品を購入したユーザの車輌に搭載される前記車載端末装置のコンテンツ通信に関する特定通信サービスを提供するための情報を生成する特定通信サービス提供手段に相当している。
【００９２】
しかし、本発明は上記構成に限定されない。例えば、商品購入が車載端末装置で検知されてもよい。商品購入を示す入力操作がユーザにより車載端末装置に対して行われてもよい。また、特定通信サービスを提供するための情報が、車載端末装置で生成されてもよい。また、同情報は、無線通信基地装置と接続された商品販売用のコンピュータ装置で生成されてもよい。
【００９３】
次に、特定通信サービスの提供に関するもう一つの実施の形態を説明する。本実施の形態では、ＩＣタグによるポイントシステムを本発明のシステムに導入する。
【００９４】
図１０は、本実施の形態の車輌コンテンツ提供システムを示している。以下、図１のシステムと同様の事項の説明は適宜省略する。
【００９５】
図１０の車輌コンテンツ提供システム１００において、テレマティクスセンタ装置１０２は、テレマティクスセンタのコンピュータシステムであり、コンテンツ提供部１０４、課金情報処理部１０６およびポイントバンクサーバ１０８で構成される。
【００９６】
コンテンツ提供部１０４は、既に説明したコンテンツの提供機能を持つ。図１０では、テレマティクスセンタ装置１０２は、車載端末装置１１０に加えて、無線通信基地装置１１２とも通信可能に接続される。テレマティクスセンタ装置１０２と無線通信基地装置１１２はインターネットを経由して接続されてよい。テレマティクスセンタ装置１０２は、無線通信基地装置１１２にとってコンテンツプロバイダであり、ブロードバンド通信でコンテンツを提供してよい。
【００９７】
課金情報処理部１０６は、ユーザへの課金に関する処理を行う。課金情報処理部１０６は、ユーザ名、コンテンツ利用量、課金額の情報を記憶している。例えば、車載端末装置１１０からテレマティクスセンタ装置１０２に定期的にコンテンツの利用量の情報が通信で送られてくると、該当するユーザのコンテンツ利用量が更新される。本実施の形態では、課金額がコンテンツ利用量に応じて設定されており、課金額もコンテンツ利用量とともに更新される。
【００９８】
ポイントバンクサーバ１０８は、ユーザの獲得ポイントを管理する機能をもつ。ポイントバンクサーバ１０８は、ユーザ名、ユーザＩＤ、ポイント残高の情報を記憶している。ポイントバンクサーバ１０８は、住所、名前、電話番号、メールアドレスといった申込み情報も記憶してよい。後述するように、ポイントバンクサーバ１０８は、無線通信基地装置１１２との通信でポイント獲得の情報を得ると、該当ユーザのポイント残高を更新して増やし、車載端末装置１１０からポイント消費の情報を通信で得ると、該当ユーザのポイント残高を更新して減らす。
【００９９】
次に、無線通信基地装置１１２は、図１０では、自動販売機に内蔵されている。無線通信基地装置１１２はリーダ／ライタ装置１１４を備えている。リーダ／ライタ装置１１４は、自動販売機の前面、例えば、硬貨投入口の付近に設けられており、ＩＣタグ１１６に情報を読み書きすることができる。
【０１００】
図１１は、無線通信基地装置１１２の機能ブロック図である。リーダ／ライタ装置１１４は、上述のように、ＩＣタグ１１６の情報の読書きを行う。商品購入検知部１１８は、自動販売機のコンピュータに接続されており、商品購入と金額の情報を受け取り、これにより商品購入を検知する。リーダ／ライタ装置１１４が読み取った情報は、通信制御管理部３４の制御の下で、ブロードバンド通信部３０からテレマティクスセンタ装置１０２のポイントバンクサーバ１０８へ送られる。また、リーダ／ライタ装置１１４は、通信制御管理部３４の制御の下で、ブロードバンド通信部３０がテレマティクスセンタ１０２から受信したポイント関連情報をＩＣタグ１１６に書き込むこともできる。
【０１０１】
以下、本実施の形態のポイント処理のフローを説明する。
【０１０２】
まず、図１２を参照すると、ユーザは、ＷＥＢ、携帯電話、書面等でテレマティクスセンタへＩＣタグの申込み、登録を行う。テレマティクスセンタでは、ポイントバンクサーバ１０８が、申し込んだユーザへ、ユーザＩＤを付与する。ユーザＩＤは例えばユニークな番号である。そして、ユーザＩＤが、ユーザ名、住所、電話番号、メールアドレスなどの申込み情報とともにポイントサーバに記憶され、登録される。さらに、テレマティクスセンタでは、ＩＣタグ１１６に、上記のユーザＩＤおよび申込み情報が書き込まれ、ＩＣタグ１１６がユーザに送付される。ＩＣタグ１１６は、例えばカード型でよい。
【０１０３】
ユーザ（申込み者）は、自動販売機で商品を購入するとき、自動販売機の前面に備えられたリーダ／ライタ装置１１４にＩＣタグ１１６をかざしてから、商品を購入する。商品購入は、自動販売機のコンピュータから無線通信基地装置１１２に通信で通知され、商品購入検知部１１８に検知される。
【０１０４】
したがって、無線通信基地装置１１２では、商品購入検知部１１８が商品購入と金額を検知し、リーダ／ライタ装置１１４がユーザＩＤをＩＣタグ１１６から読み取る。これらの情報が得られると、無線通信基地装置１１のポイント関連処理部が機能して、商品購入金額に応じた獲得ポイント情報を生成する。ポイント関連処理機能は通信管理制御部３４がもっていてもよい。そして、この獲得ポイントはリーダ／ライタ装置１１４によりＩＣタグ１１６に書き込まれる。また獲得ポイントは、読み取られたユーザＩＤとともに、ブロードバンド通信部３０を経由してテレマティクスセンタ１０２のポイントバンクサーバ１０８へ送信される。ポイントバンクサーバ１０８は、ユーザＩＤに該当するユーザのポイント残高を更新する。すなわち、獲得ポイントが加算される。
【０１０５】
以上より、本実施の形態では、無線通信基地装置が、特定通信サービス提供手段として機能している。
【０１０６】
次に、ポイントを使用するときの流れを説明する。ユーザは、コンテンツを利用したいとき、既に説明したように、車載端末装置１１０を操作する。これにより、車載端末装置１１０は、ユーザが要求するコンテンツを入手して、ディスプレイ、スピーカといった出力装置から出力する。コンテンツは、無線通信基地装置１１２から無線ＬＡＮで入手され、また、テレマティクスセンタ装置１０２から直接携帯電話通信で入手される。
【０１０７】
ここで、本実施の形態では、車載端末装置１１０が、コンテンツを要求するための画面上で、ポイントを利用するか否かの情報の入力をユーザに促す。具体的には、ポイント利用を指示するためのボタンが設けられ、このボタンの操作が画面で案内される。ボタンはタッチパネル上に設けられてもよい。
【０１０８】
ユーザがボタンを押してポイント利用を指示すると、ポイント利用の指示は、ユーザＩＤとともに、車載端末装置１１０からテレマティクスセンタ１０２へと携帯電話通信で送られる。なお、ユーザＩＤは予め車載端末装置１１０に記憶されている。
【０１０９】
そして、ポイント利用の指示は、ユーザＩＤとともに、ポイントバンクサーバ１０８に取得される。ポイントバンクサーバ１０８は、ユーザＩＤが示すユーザのポイント残高を更新する。使用されたポイントが、ポイント残高から引かれる。
【０１１０】
ポイント利用の情報は、課金情報処理部１０６へ通知される。これにより、課金情報処理部１０６は、記憶されている課金額を調整する。すなわち、ポイント利用に応じた金額だけ、課金額が減らないようにする処理を行う。
【０１１１】
なお、車載端末装置１１０は、ポイント利用の情報を蓄積し、蓄積された情報を定期的にテレマティクスセンタ装置１０２へ送ってもよい。
【０１１２】
また、利用ポイントの値は、コンテンツに応じて異なってよい。利用されたコンテンツに対応するポイントの計算は、車載端末装置１１０で行われてもよい。また、ポイントの計算は、ポイントバンクサーバ１０８で行われてもよい。この場合、利用されたコンテンツを示す情報もテレマティクスセンタ１０２へ送られる。
【０１１３】
以上、本発明の好適な実施の形態を説明した。本実施の形態では、無線通信基地装置にＩＣタグの読取装置を設けるとともに、ＩＣタグが読み取られたときにポイントを生成するので、ＩＣタグを使って商品購入に応じてポイントが蓄積され、蓄積されたポイントによりコンテンツとの交換ができる。そして、本発明によれば、ユーザにとって有利であり、また、販売促進ができる点で、無線通信基地装置を設置する施設の運営者にも有利なシステムを提供できる。
【０１１４】
また、本発明では、車載端末装置のユーザがもつＩＣタグからユーザが特定され、そのユーザを対象として、該ユーザの車載端末装置へポイントと交換でコンテンツを提供するためのポイント情報が生成され、付与される。このように、車載端末装置と別体のＩＣタグという媒体を使ったことで、コンテンツのポイント交換機能を、確実に、商品を購入したユーザの車載端末装置へと向けて提供できる。
【０１１５】
上述の実施の形態において、ＩＣタグは本発明の識別体に相当し、ユーザＩＤが識別情報に相当し、ポイントが、特定通信サービスを提供するための情報に相当し、無線通信基地装置が特定通信サービス提供手段として機能している。そして、ＩＣタグを用いることで、容易に識別情報を無線通信基地装置に読み取らせることができる。また、コンテンツと交換可能なポイントを、特定通信サービスを提供するための情報として処理することで、商品の販売を好適に促進できる。
【０１１６】
なお、上記ＩＣタグは、本発明の識別体の一形態であるが、本発明はこれに限定されない。また、上記実施の形態では、識別情報が識別ＩＤであった。ただし、本発明はこれに限定されない。例えば、ＩＣタグに書き込まれている他の申込み情報も識別情報として処理されてよい。
【０１１７】
また、本実施の形態では無線通信基地装置が自動販売機に設けられたが、同装置は自動販売機以外の施設に設けられてもよい。
【０１１８】
また、本実施の形態ではリーダ／ライタ装置が無線基地装置に備えられたが、読取機能だけを有するリーダ装置が備えられてもよい。この場合、ポイントはＩＣタグに書き込まれず、専らポイントバンクサーバで管理される。すなわち、ＩＣタグからユーザＩＤが読み取られると、そのユーザＩＤが商品購入額または発生ポイント（獲得ポイント）とともにテレマティクスセンタに送られ、ポイントバンクシステムで更新等の管理処理がなされる。
【０１１９】
また、上記の実施の形態では、無線通信基地装置ががポイントを生成しており、テレマティクスセンタ装置のポイントバンクサーバとともに特定通信サービス提供手段として機能している。これに対して、ポイントは、ポイントバンクサーバで生成されてもよい。
【０１２０】
また、ＩＣタグをつかって商品も購入可能であってもよい。すなわち、ＩＣタグを備えたデバイスが例えば電子財布の機能をもち、ＩＣタグを自動販売機等にかざして、商品購入とともにポイントを獲得できてもよい。
【０１２１】
また、ポイントバンクサーバとしては、以下のようなポイントバンクシステムの構成を好適に適用できる。ポイントバンクシステムは、ポイントを管理および運用する。ポイントバンクシステムは、既存のポイントカードのポイントを利用し、そのポイントを（１）貯める機能、（２）交換機能、（３）電子マネーとしての流通機能、（４）電子マネーから現金への換金機能を好適に備える。ＩＣタグは、クレジットカードに備えられる。ポイントバンクシステムにより、顧客がＩＣタグ付きカードを無線通信基地装置（ホットスポット、無線ＬＡＮ中継施設）あるいはカード利用提携した店舗にて使用すると、ポイントが獲得でき、一定条件のもと電子マネーに交換されていく。これまでバラバラであった複数のポイントカードのポイントを一枚のカードに集約出来、電子マネーでの流通、さらには電子マネーより現金への換金も可能になる。
【０１２２】
ポイントバンクシステムの使用に際しての個人認証は、既存のシステムに準拠した認証デバイスで可能となる（バーコード、ＩＣカード、携帯バーコード、携帯電話、ネットＰＯＳレジ）。
【０１２３】
次に、図１３は、車載端末装置の変形例を示している。すなわち、車載端末装置１１０は、上述の構成に加えて、リーダ／ライタ装置１２０を有する。ユーザがＩＣタグ１１６をかざすと、リーダ／ライタ装置１２０がＩＣタグ１１６のユーザＩＤを読み取る。そして、ユーザの指示の下で、特定のコンテンツが車載端末装置１１０で利用される。特定のコンテンツは例えば広告である。このとき、車載端末装置１１０は獲得ポイントを発生させる。特定コンテンツの利用量に応じた大きさの獲得ポイントが生成されてよい。獲得ポイントの情報は、ユーザＩＤとともに車載端末装置１１０からテレマティクスセンタ１０２へと携帯電話通信で送信される。
【０１２４】
テレマティクスセンタ１０２では、ポイントバンクサーバ１０８が、自動販売機でのポイント発生と同様の処理により獲得ポイントを、自らのポイントデータベースに反映する。すなわち、ユーザＩＤに該当するユーザのポイント残高が、獲得ポイントに応じて増やされる。
【０１２５】
ポイントを使うときの処理は、上述の実施の形態と同様でよい。
【０１２６】
本発明によれば、車輌でも、ＩＣタグを利用して、コンテンツと交換可能なポイントを獲得できる。ユーザにとって有利であり、また、特定コンテンツの利用を促進できる点で、コンテンツ提供側にとっても有利である。
【０１２７】
なお、上記の実施の形態では、車載端末装置がポイントを生成しており、テレマティクスセンタ装置のポイントバンクサーバとともに特定通信サービス提供手段として機能している。ポイントは、ポイントバンクサーバで生成されてもよい。
【０１２８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１２９】
本発明は、ブロードバンド環境下での車載端末へのコンテンツ提供を実現でき、車輌へのコンテンツ配信技術に有効に利用できる。
【図面の簡単な説明】
【０１３０】
【図１】本発明の実施の形態に係る車輌コンテンツ提供システムを示す図である。
【図２】本実施の形態の無線通信基地装置の構成を示す機能ブロック図である。
【図３】本実施の形態の車載端末装置の構成を示す機能ブロック図である。
【図４】端末機能に合わせたコンテンツローミングシステムを示す図である。
【図５】通信機能に合わせたコンテンツローミングシステムを示す図である。
【図６】特定施設サービス提供システムを示す図である。
【図７】特定施設サービス提供システムによるサービス提供処理を示す図である。
【図８】特定通信サービス提供システムを示す図である。
【図９】特定通信サービス提供システムによるサービス提供処理を示す図である。
【図１０】別の実施の形態に係る車輌コンテンツ提供システムを示す図である。
【図１１】無線通信基地装置の構成を示す機能ブロック図である。
【図１２】ＩＣタグ申込みの流れを示す図である。
【図１３】車載端末装置の構成を示す機能ブロック図である。
【符号の説明】
【０１３１】
１０  車輌コンテンツ提供システム
１２  車載端末装置
１４  無線通信基地装置
１６  インターネット
２０  テレマティクスセンタ
２２  コンテンツデータベース
２４  ＥＴＣ装置
３０  ブロードバンド通信部
３２  無線ＬＡＮ通信部
３４  通信制御管理部
３６  コンテンツ蓄積サーバ
４０  無線ＬＡＮ通信部
４２  携帯電話部
４４  ＥＴＣ通信部
４６  通信制御管理部
【図１】
2005051731.tif 000003
【図２】
2005051731.tif 000004
【図３】
2005051731.tif 000005
【図４】
2005051731.tif 000006
【図５】
2005051731.tif 000007
【図６】
2005051731.tif 000008
【図７】
2005051731.tif 000009
【図８】
2005051731.tif 000010
【図９】
2005051731.tif 000011
【図１０】
2005051731.tif 000012
【図１１】
2005051731.tif 000013
【図１２】
2005051731.tif 000014
【図１３】
2005051731.tif 000015